(57)【特許請求の範囲】
【請求項１】
ケース本体と、ケース本体に上下動可能に装着された回転操作筒と、回転操作筒に上下動可能に装着され、内周にねじを螺設した内筒を具えた収納皿と、ケース本体に回転不可能、上下動可能に装着されたねじ軸体とからなる棒状化粧料繰り出し容器であって、
回転操作筒は、ケース本体の上端縁上に突出したフランジと、その下方に刻設されたローレットとを具えており、
ケース本体は、回転操作筒が下降位置にあるとき、上記ローレットに係合して回転操作筒の回転操作を不可能にする凸リブを設けていることを特徴とする棒状化粧料繰り出し容器。
【請求項２】
ケース本体と、ケース本体に回転不能、上下動可能に装着され、内周にねじを螺設した内筒を具えた収納皿と、ケース本体に回転可能に装着されたねじ軸体と、ケース本体に上下動と回転可能に装着された回転操作体とからなる棒状化粧料繰り出し容器であって、
回転操作体は、内周にローレットを刻設した係合リングを立設し、周縁に係合板を突設した基板と、下端に操作筒を突設した側壁とからなり、
ケース本体と係合板との間に、係合板を下方に付勢する弾性体を弾装して操作筒を最下端位置に位置決めし、
操作筒を、弾性体の付勢に抗して最上端位置に押し上げたときに、係合リングのローレットが、ねじ軸体に設けたローレットと噛み合い、操作筒を廻動することにより繰り出し可能としたことを特徴とする棒状化粧料繰り出し容器。
【発明の詳細な説明】
【０００１】
【発明の属する技術分野】
本発明は、口紅、リップクリーム、スティックアイシャドー、スティックファンデーション等の棒状化粧料繰り出し容器に関する。
【０００２】
【従来の技術】
口紅等の棒状化粧料を、収納皿と該収納皿を繰り出す螺旋機構と、繰り出しのための回転操作筒とを具えたケース本体と、ケース本体の蓋体とからなる棒状化粧料繰り出し容器は、従来より使用されている。
【０００３】
【発明が解決しようとする課題】
従来の化粧料繰り出し容器は、蓋体を開いたとき、ケース本体に装着された回転操作筒が露出され、露出された操作筒を廻動させることによって、収納皿を繰り出させるようにしていた。
しかしながら、蓋体の高さは操作筒を覆っているので、ケース本体に対して比較的長くならざるを得なかった。
【０００４】
そこで、蓋体の高さを短くして収納皿の上端部を覆うだけとし、ケース本体から操作筒を露出させるようにした繰り出し容器が提案されたが、ポケットやバッグ等に入れて持ち歩いているとき、操作筒が何らかの弾みで回動されて不用意に中身が繰り出され、そのことによって蓋体が押し上げられて開けられ、周辺を汚すという問題があった。
また、子どもがいたずらに操作筒を回して、中身を繰り出してしまうというような問題もあった。
【０００５】
本発明は、上記の問題を解決することを課題とし、操作が簡便でありながらも、不用意に回転操作ができないようにした棒状化粧料繰り出し容器を提供することを目的とする。
【０００６】
【課題を解決するための手段】
本発明は、上記の課題を解決するため、棒状化粧料繰り出し容器として、ケース本体と、ケース本体に上下動可能に装着された回転操作筒と、回転操作筒に上下動可能に装着され、内周にねじを螺設した内筒を具えた収納皿と、ケース本体に回転不可能、上下動可能に装着されたねじ軸体とからなる棒状化粧料繰り出し容器であって、回転操作筒は、ケース本体の上端縁上に突出したフランジと、その下方に刻設されたローレットとを具えており、ケース本体は、回転操作筒が下降位置にあるとき、上記ローレットに係合して回転操作筒の回転操作を不可能にする凸リブを設けていることを特徴とする構成を採用する。
【０００７】
別実施形態として、ケース本体と、ケース本体に回転不能、上下動可能に装着され、内周にねじを螺設した内筒を具えた収納皿と、ケース本体に回転可能に装着されたねじ軸体と、ケース本体に上下動と回転可能に装着された回転操作体とからなる棒状化粧料繰り出し容器であって、回転操作体は、内周にローレットを刻設した係合リングを立設し、周縁に係合板を突設した基板と、下端に操作筒を突設した側壁とからなり、ケース本体と係合板との間に、係合板を下方に付勢する弾性体を弾装して操作筒を最下端位置に位置決めし、操作筒を、弾性体の付勢に抗して最上端位置に押し上げたときに、係合リングのローレットが、ねじ軸体に設けたローレットと噛み合い、操作筒を廻動することにより繰り出し可能としたことを特徴とする構成を採用する。
【０００８】
【発明の実施の形態】
次に、本発明の第１実施形態繰り出し容器について、図面を参照して説明する。
図１において、Ａはケース本体、Ｂは回転操作筒、Ｃはねじ軸体、Ｄは収納皿、Ｅはキャップ、ａは口紅、リップクリーム、スティックアイシャドー、スティックファンデーション等の棒状化粧料の中身である。
【０００９】
図１〜３に示すように、ケース本体Ａは、外筒１と底板２とからなり、外筒１は、外周が縮径された上部の回転規制筒部３と、外周が拡径された中間部の上下規制筒部４、下部の軸体支持筒部５とを具えている。
回転規制筒部３の内周下端に、内方に突出する膨出環６が突設されており、膨出環６の上方には、周方向に等間隔をおいて一定長さの凸リブ７が設けられている。
【００１０】
膨出環６から下方は上下規制筒部４となっており、その下端には段部８が形成され、軸体支持筒部５が続いている。
軸体支持筒部５の内周には、周方向に等間隔をおいて、凸リブ９が刻設されている。
【００１１】
図２，３に示すように、回転操作筒Ｂは、上部がキャップ取付筒１０となっており、その下端にはフランジ１１が突設されている。
フランジ１１の下方には、下端部が前記凸リブ７に係合するローレット１２が刻設され、フランジ１１とともに操作部を形成しており、その下方には、前記段部８に係合する膨出部１３が形成されている。
回転操作筒Ｂの内周には、下方に延びる複数の凸条１４が刻設されており、下端部には、内端を上方に傾斜された係止環１５を具えた受け板１６が連設されている。
【００１２】
ねじ軸体Ｃは、軸支持体２０と該軸支持体２０の中央に立設されたねじ軸２１とからなっている。
軸支持体２０は、台板２２と側筒２３とからなり、側筒２３の外周には、ケース本体Ａの凸リブ９に噛み合うローレット２４が刻設されている。
ねじ軸２１の下方部には係止環１５が係合する拡径部２５が設けられ、拡径部２５の上方にはねじ２６が螺設されている。
【００１３】
図２，３に示すように、収納皿Ｄは、外筒３０と内筒３１、連結板３２とからなっており、外筒３０の外周には、回転操作筒Ｂの凸条１４に係合する凹溝３３が刻設されている。
内筒３１の内周には、ねじ軸２１のねじ２６に螺合するねじ３４が螺設されている。
【００１４】
図１に示すように、キャップＥは、回転操作筒Ｂのキャップ取付筒１０に嵌挿する筒体３５と頂板３６とからなっており、回転操作筒Ｂの上端に被嵌されるようになっている。
【００１５】
次に、本第１実施形態繰り出し容器の使用態様と作用態様について、図４を参照して説明する。
繰り出し容器の使用にあたって、まず、フランジ１１をつまんで上方にひきあげると、図に示すように、回転操作筒Ｂの膨出部１３が、膨出環６に係合するまで上昇し、回転操作筒Ｂの操作部をケース本体Ａの上端から露出させることができる。
【００１６】
次いで、キャップＥを取外し、回転操作筒Ｂをその操作部のローレット１２をつまんで回転させると、凸条１４と収納皿Ｄの凹溝３３との係合により、回転操作筒Ｂの回転とともに収納皿Ｄが回る。
ねじ軸２１は、凸リブ９とローレット２４との係合によって回転不能とされているので、収納皿Ｄの内筒３１の回転によって収納皿Ｄが上昇し、化粧料を繰り出すことができる。
【００１７】
キャップＥを取外した後は、回転操作筒Ｂの引き出し、回転は片手でできるので操作が容易であり、口紅、その他棒状化粧料を塗る場合には、回転操作筒Ｂの操作部が容器の上方にあるので、操作部をつまんでそのまま塗ることができる。
【００１８】
次に、本発明の第２実施形態繰り出し容器について、図５、６を参照して説明する。
本実施形態は、前記第１実施形態のケース本体、回転操作筒の構成、およびねじ軸体の一部の形状を変更したもので、前記実施形態と同一である構成には符号に添字ａを付して図示し、くわしい説明を省略する。
【００１９】
図５において、Ａａはケース本体、Ｂａは回転操作体、Ｃａはねじ軸体、Ｄａは収納皿、Ｅａはキャップ、ａは口紅、リップクリーム、スティックアイシャドー、スティックファンデーション等の棒状化粧料の中身である。
【００２０】
ケース本体Ａａは、上端部に縮径されたキャップ取付筒４０を設けた円筒体４１によって形成され、その内周には所定長さの複数の凸条４２が突設されており、
該凸条４２の下端部には、内端を上方に傾斜した係止環４３を具えた受け板４４が連設されている。
受け板４４より下方に延びる円筒体４１の下筒部４５の下端には、内方に突出する突出環４６が設けられている。
【００２１】
回転操作体Ｂａは、ケース本体Ａａ内に装着された基板５０と側壁５１とを具えている。
基板５０の上面には、係合リング５２が立設され、係合リング５２の下方部内周にはローレット５３が刻設されている。
【００２２】
基板５０の周縁は、側壁５１外周より突出し、下筒部４５内周に摺接する環状の係合板５４が形成され、係合板５４とケース本体Ａａの受け板４４下面との間には、圧縮ばね５５、または、ゴム、軟材質の合成樹脂を素材とした筒状の弾性体が弾装されている。
圧縮ばね５５の付勢によって、係合板５４は突出環４６に圧接されるようになっている。
【００２３】
側壁５１は、その外周が、下筒部４５下端の突出環４６の内周面に摺接するようになっており、下端には、外周面が下筒部４５の外周と面一となるよう拡径され、外周にローレット５６を刻設した操作筒５７が連設されている。
【００２４】
ねじ軸体Ｃａは、前記第１実施形態と同様に、台板２２ａと側筒２３ａを具えた軸支持体２０ａとねじ軸２１ａとからなっている。
側筒２３ａの外周には、ローレット２４ａが刻設され、操作時に、回転操作体Ｂａの係合リング５２のローレット５３に係合するようになっている。
ねじ軸２１ａには、拡径部２５ａが設けられ、ねじ軸体Ｃａは、ケース本体Ａａの係止環４３に回転可能に支持されている。
【００２５】
収納皿Ｄａは、前記第１実施形態と同様に、外筒３０ａと内筒３１ａ、連結板３２ａとからなっており、外筒３０ａの外周に設けられた凹溝３３ａが、ケース本体Ａａの凸条４２に係合し、内筒３１ａはねじ軸２１ａに螺合され、ねじ軸体Ｃａの回転に応じて上下方向に移動されるようになっている。
【００２６】
次に、本実施形態の使用態様と作用効果について説明する。
繰り出し容器の不使用状態では、図５に示すように、圧縮ばね５５の作用により、回転操作体Ｂａの係合板５４が押し下げられ、突出環４６に圧接し、操作筒５７がケース本体Ａａの下筒部４５からもっとも離れた最下端位置に移動する。
その際、回転操作体Ｂａの係合リング５２に設けたローレット５３は、ねじ軸体Ｃａのローレット２４ａとの噛み合いから外れた位置となり、回転操作体Ｂａの操作筒５７を回転させても、回転操作体Ｂａは空転し、化粧料を繰り出すことができない。
【００２７】
化粧料の繰り出しにあたっては、図６に示すように、キャップＥａを取外し、ケース本体Ａａを持って、回転操作体Ｂａを圧縮ばね５５の作用に抗してケース本体Ａａ内に押し込み、回転操作体Ｂａの係合リング５２内面に形成したローレット５３をねじ軸体Ｃａのローレット２４ａに噛み合わせる。
次に、回転操作体Ｂａを回せば、ねじ軸体Ｃａが回転され、収納皿Ｄａをケース本体Ａａ内で軸方向に移動させることができる。
【００２８】
したがって、操作筒５７を軸方向に押圧して回転させることにより、収納皿Ｄａに保持された化粧料を繰り出すことができる。
【００２９】
【発明の効果】
本発明は、上記のように構成されているから、次の効果を奏する。
第１実施形態の繰り出し容器によれば、ケース本体に、フランジとローレットを具えた回転操作筒を上下動可能に装着し、ケース本体に、回転操作筒の下降位置においてローレットに噛み合う凸リブを設けたから、フランジをつまんで回転操作筒を引き上げない限り、回転操作ができないようになった。
また、使用にあたって、回転操作筒の操作部が棒状化粧料繰り出し容器の上方にあるので、棒状化粧料繰り出し容器の使用が簡単にできるようになった。
【００３０】
また、第２実施形態の繰り出し容器によれば、ケース本体に回転操作筒を上下動可能に取り付け、回転操作筒の押圧時にねじ軸体と係合させるようにしたから、押圧操作をしない限り繰り出すことができなくなった。
【図面の簡単な説明】
【図１】本発明第１実施形態の繰り出し容器の一部断面正面図である。
【図２】容器の断面図で、(ａ)は図１のＡーＡ線における断面図、(ｂ)は図１のＢーＢ線における断面図である。
【図３】ケース本体と回転操作筒の分解説明図である。
【図４】使用時の説明図である。
【図５】本発明第２実施形態の繰り出し容器の一部断面正面図である。
【図６】使用時の説明図である。
【符号の説明】
Ａ、Ａａ    ケース本体
Ｂ          回転操作筒
Ｂａ        回転操作体
Ｃ、Ｃａ    ねじ軸体
Ｄ、Ｄａ    収納皿
Ｅ、Ｅａ    キャップ
ａ          中身
１          外筒
２          底板
３          回転規制筒部
４          上下規制筒部
５          軸体支持筒部
６          膨出環
７、９      凸リブ
８          段部
１０        キャップ取付筒
１１        フランジ
１２        ローレット
１３        膨出部
１４        凸条
１５        係止環
１６        受け板
２０、２０ａ    軸支持体
２１、２１ａ    ねじ軸
２２、２２ａ    台板
２３、２３ａ    側板
２４、２４ａ    ローレット
２５、２５ａ    拡径部
２６  ３４      ねじ
３０、３０ａ    外筒
３１、３１ａ    内筒
３２、３２ａ    連結板
３３、３３ａ    凹溝
３５        筒体
３６        頂板
４０        キャップ取付筒
４１        円筒体
４２        凸条
４３        係止環
４４        受け板
４５        下筒部
４６        突出環
５０        基板
５１        側壁
５２        係合リング
５３、５６  ローレット
５４        係合板
５５        圧縮ばね
５７        操作筒
【図１】
0004141719.tif 000002
【図２】
0004141719.tif 000003
【図３】
0004141719.tif 000004
【図４】
0004141719.tif 000005
【図５】
0004141719.tif 000006
【図６】
0004141719.tif 000007